(57)【要約】      （修正有）【課題】比較的簡単に間仕切りボードを連結し、又は分離することができる間仕切りボードの連結保持具を提供する。【解決手段】連結保持具１２は、テーブルの天板上に置かれる複数の間仕切りボード１１を連結して起立した状態に保持する組立体１４で構成される。互いに隣接する２枚の間仕切りボードの側縁下部にそれぞれ下方に開口するボード用スリットが形成される。井桁状の組立体１４は、３本の保持具用スリット１３ａが形成された同形同大の４枚の板状体１３を備え、４枚のうち２枚の板状体を保持具用スリットが上方に開口するように立て、残りの２枚の板状体をそれらの保持具用スリットが下方に開口するように立てた状態で、両サイドの保持具用スリット同士を係合させることにより作製される。２枚の間仕切りボードの２本のボード用スリットを、上方に開口する２本の保持具用スリットにそれぞれ係合することにより、連結保持具が２枚の間仕切りボードを連結して保持する。【選択図】図１
0003229061.tif 000002
【実用新案登録請求の範囲】
【請求項１】
テーブルの天板上にこの天板の長手方向に一列に延びて置かれる複数の間仕切りボードを連結して起立した状態に保持し、前記複数の間仕切りボードのうち互いに隣接する２枚の間仕切りボードの側縁下部にそれぞれ下方に開口するボード用スリットが形成された間仕切りボードの連結保持具であって、
前記連結保持具は、井桁状の組立体により構成され、
前記井桁状の組立体は、横方向に所定の間隔をあけて３本の保持具用スリットが同一方向から同一長さにそれぞれ形成された同形同大の４枚の板状体を備え、前記４枚の板状体のうち２枚の板状体をそれらの保持具用スリットが上方に開口するように立て、残りの２枚の板状体をそれらの保持具用スリットが下方に開口するように立てた状態で、前記３本の保持具用スリットのうち両サイドの保持具用スリット同士を係合させることにより作製され、
前記互いに隣接する２枚の間仕切りボードの２本のボード用スリットを、前記上方に開口する２本の保持具用スリットにそれぞれ係合することにより、前記互いに隣接する２枚の間仕切りボードを連結して保持するように構成された
ことを特徴とする間仕切りボードの連結保持具。
【請求項２】
前記板状体が四角形の発泡体により形成された請求項１記載の間仕切りボードの連結保持具。
【請求項３】
前記板状体の両方の面の全体にシート状表面材が接着された請求項２記載の間仕切りボードの連結保持具。
【考案の詳細な説明】
【技術分野】
【０００１】
本考案は、飲食店の長尺テーブル等の横長の天板上にその長手方向に一列に延びて配置された複数の間仕切りボードを連結して起立した状態で保持する連結保持具に関するものである。
【背景技術】
【０００２】
従来、室内に設置して、リラックスや集中力の増大に役立つ杉木口スリット材の衝立が開示されている（例えば、特許文献１（請求項１、段落［００２１］、図１及び図４〜図６）参照。）。この杉木口スリット材の衝立を作成するために、厚さ１０〜２０ｍｍの樹齢２０年以上の杉板材が用いられる。また、杉板材の片面は、４〜８ｍｍの幅、４〜８ｍｍの深さの角型溝部を木目に直角方向に連続的に線状刻設した刻溝面に形成され、杉板材の他面は、表面加工した平滑な自然模様を呈する杉板面に形成される。更に、杉板材の刻溝面を内側にして２０〜６０ｍｍ厚さの桟枠で嵌め込み式にした枠付き刻溝面を有する杉板を、丁番付き２〜３体になっている。即ち、枠付き刻溝面を有する杉板を２枚又は３枚用い、これらの杉板が丁番で連結される。
【０００３】
このように構成された衝立では、睡眠中、リラックス中、勉学中における脳の活性化と雰囲気改善によって精神安定、睡眠熟睡、学業の向上がもたらされる。また、木の香り発散と空気の浄化については、精神的環境を安定化したり、汚染物質との吸着による浄化できる。そのうち、杉木口面との反応による効果は大きく、辺材、心材によって影響を受けるが、効果としては一定の値であるが、長時間持続される。
【先行技術文献】
【特許文献】
【０００４】
【特許文献１】実用新案登録第３２２００６３号公報
【考案の概要】
【考案が解決しようとする課題】
【０００５】
しかし、上記特許文献１に示された衝立では、２枚又は３枚の杉板を丁番で連結しなければならず、組立工数が増大する不具合があった。また、上記特許文献１に示された衝立では、丁番で連結された２枚又は３枚の杉板を分離するときに、丁番を外さなければならず、多くの時間を要する問題点があった。また、上記特許文献１に示された衝立では、２枚又は３枚の杉板を丁番で連結した場合、この連結された２枚又は３枚の杉板を一列に延ばして置くと、自立できず倒れてしまう問題点があった。特に、近年、感染症（例えば、新型コロナウィルス肺炎のCOVID-19）が大流行しており、上記特許文献１に示された衝立を、飲食店の長尺テーブル等の横長の天板上にその長手方向に一列に延びて配置することが難しい問題点があった。更に、上記特許文献１に示された衝立では、比較的重い杉板が用いられているため、衝立がテーブルから誤って落下すると、衝立が重いため、衝立が損傷したり或いは近くにいた人が衝立で怪我をするおそれがあった。
【０００６】
本考案の第１の目的は、比較的簡単に間仕切りボードを連結することができるとともに、連結された間仕切りボードを比較的簡単に分離することができる、間仕切りボードの連結保持具を提供することにある。本考案の第２の目的は、連結保持具で連結された互いに隣接する２枚の間仕切りボードを一列に延ばして起立した状態で保持できる、間仕切りボードの連結保持具を提供することにある。本考案の第３の目的は、連結保持具で連結された複数の間仕切りボードを置いたテーブルへの着席者が感染者である場合、或いはテーブルの向こう側にいる人が感染者である場合に、その感染者の咳やくしゃみ等による飛沫が前方に飛散することや着席者に到来することを防止できる、間仕切りボードの連結保持具を提供することにある。本考案の第４の目的は、板状体を発泡体で形成することにより、間仕切りボードがテーブルから誤って落下しても、軽量であるため、連結保持具が損傷し難く、また近くにいた人が連結保持具で怪我をすることがない、間仕切りボードの連結保持具を提供することにある。
【課題を解決するための手段】
【０００７】
本考案の第１の観点は、図１〜図５に示すように、テーブルの天板上にこの天板の長手方向に一列に延びて置かれる複数の間仕切りボード１１を連結して起立した状態に保持し、複数の間仕切りボード１１のうち互いに隣接する２枚の間仕切りボード１１，１１の側縁下部にそれぞれ下方に開口するボード用スリット１１ｄが形成された間仕切りボード１１の連結保持具１２であって、連結保持具１２は、井桁状の組立体１４により構成され、井桁状の組立体１４は、横方向に所定の間隔をあけて３本の保持具用スリット１３ａが同一方向から同一長さにそれぞれ形成された同形同大の４枚の板状体１３を備え、４枚の板状体１３のうち２枚の板状体１３，１３をそれらの保持具用スリット１３ａが上方に開口するように立て、残りの２枚の板状体１３，１３をそれらの保持具用スリット１３ａが下方に開口するように立てた状態で、３本の保持具用スリット１３ａのうち両サイドの保持具用スリット１３ａ，１３ａ同士を係合させることにより作製され、互いに隣接する２枚の間仕切りボード１１，１１の２本のボード用スリット１１ｄ，１１ｄを、上方に開口する２本の保持具用スリット１３ａ，１３ａにそれぞれ係合することにより、互いに隣接する２枚の間仕切りボード１１，１１を連結して保持するように構成されたことを特徴とする。
【０００８】
本考案の第２の観点は、第１の観点に基づく考案であって、更に図１に示すように、板状体１３が四角形の発泡体により形成されたことを特徴とする。
【０００９】
本考案の第３の観点は、第２の観点に基づく考案であって、更に板状体の両方の面の全体にシート状表面材が接着されたことを特徴とする。
【考案の効果】
【００１０】
本考案の第１の観点の間仕切りボードの連結保持具では、複数の間仕切りボードのうち互いに隣接する２枚の間仕切りボードの側縁下部にそれぞれ下方に開口するボード用スリットを形成し、４枚の板状体のうち２枚の板状体をそれらの保持具用スリットが上方に開口するように立て、残りの２枚の板状体をそれらの保持具用スリットが下方に開口するように立てた状態で、３本の保持具用スリットのうち両サイドの保持具用スリット同士を係合させることにより、井桁状の組立体を作製したので、上記２枚の間仕切りボードの２本のボード用スリットを、井桁状の組立体の上方に開口する２本の保持具用スリットにそれぞれ係合することにより、連結保持具が上記２枚の間仕切りボードを連結して保持する。このように、比較的簡単に間仕切りボードを連結保持具で連結することができる。また、連結保持具を構成する井桁状の組立体の保持具用スリットから間仕切りボードのボード用スリットを離脱させることにより、連結された間仕切りボードを比較的簡単に分離することができる。また、連結保持具は、この連結保持具で連結された互いに隣接する２枚の間仕切りボードを一列に延ばして起立した状態で保持できる。更に、隣り合う２枚の間仕切りボードが接しているので、連結保持具で連結された複数の間仕切りボードを置いたテーブルへの着席者が感染者である場合、或いはテーブルの向こう側にいる人が感染者である場合に、その感染者の咳やくしゃみ等による飛沫が前方に飛散することや着席者に到来することを防止できる。
【００１１】
本考案の第２の観点の間仕切りボードの連結保持具では、板状体を四角形の発泡体により形成したので、間仕切りボードがテーブルから誤って落下しても、軽量であるため、連結保持具が損傷し難く、また近くにいた人が連結保持具で怪我をすることがない。
【００１２】
本考案の第３の観点の間仕切りボードの連結保持具では、板状体の両方の面の全体にシート状表面材を接着したので、板状体の見栄え及び強度を向上できるとともに、板状体の反りを防止できる。
【図面の簡単な説明】
【００１３】
【図１】本考案実施形態の間仕切りボードの連結保持具の４枚の板状体を用いて井桁状の組立体を作製する手順を示す斜視図である。
【図２】図３のＡ−Ａ線断面図である。
【図３】図２のＢ−Ｂ線断面図である。
【図４】図５（ｂ）のＣ部拡大図である。
【図５】互いに隣接する２枚の間仕切りボードを連結保持具及び板状体で連結する手順を示す間仕切りボードの正面図である。
【考案を実施するための形態】
【００１４】
次に本考案を実施するための形態を図面に基づいて説明する。図５に示すように、間仕切りボード１１の連結保持具１２は、テーブルの天板上にこの天板の長手方向に一列に延びて置かれる複数の間仕切りボード１１を連結して起立した状態に保持するように構成される。また、連結保持具１２は、井桁状の組立体１４により構成される。井桁状の組立体１４は、横方向に所定の間隔をあけて３本の保持具用スリット１３ａが同一方向から同一長さにそれぞれ形成された同形同大の４枚の板状体１３を備える（図１）。これらの板状体１３は、この実施の形態では、四角形の発泡体により形成される。発泡体からなる板状体１３としては、熱可塑性樹脂を主成分とする基材を化学的或いは物理的方法により発泡させたものであれば特に制限なく使用できる。具体的には、ポリプロピレン、ポリエチレン、エチレン−酢酸ビニル共重合体、又はこれらを適宜に２種以上混合してなるポリオレフィン系樹脂、ポリエステル樹脂、ポリ塩化ビニル、ＡＢＳ、ポリスチレン、ポリアクリルニトリル、ポリウレタン、メラミン樹脂、フェノール樹脂等が適しているが、目的とする積層板の軽量性、表面平滑性、環境性の観点から、特にポリオレフィン系樹脂が好ましい。なお、板状体１３を作製するための発泡体の厚さは、３ｍｍ〜７ｍｍ程度であることが好ましい。
【００１５】
板状体１３の保持具用スリット１３ａの長さは、板状体１３の高さを１００％としたときに７０％程度であることが好ましく、隣り同士の保持具用スリット１３ａ，１３ａの間隔は、板状体１３の横幅の１／６程度であることが好ましい（図１〜図４）。また、３本の保持具用スリット１３ａのうち両サイドの保持具用スリット１３ａ，１３ａの幅は板状体１３の厚さより僅かに広く形成され、中央の保持具用スリット１３ａの幅は間仕切りボード１１の厚さより僅かに広く形成される。この実施の形態では、連結保持具１２と間仕切りボード１１の厚さが同一であるので、３本の保持具用スリット１３ａの幅は同一に形成される。そして、井桁状の組立体１４は、４枚の板状体１３のうち２枚の板状体１３ａ，１３ａをそれらの保持具用スリット１３ａ，１３ａが上方に開口するように立て、残りの２枚の板状体１３，１３をそれらの保持具用スリット１３ａ，１３ａが下方に開口するように立てた状態で、３本の保持具用スリット１３ａのうち両サイドの保持具用スリット１３ａ，１３ａ同士を係合させることにより作製される（図１）。これにより、隣り合う２枚の間仕切りボード１１，１１の各側端縁が井桁状の組立体１４で連結されて保持された状態で互いに接する、即ち密着するようになっている（図１〜図５）。
【００１６】
一方、間仕切りボード１１は、長方形状に形成され、その中央には長方形状の窓１１ａが形成される（図５）。即ち、間仕切りボード１１は、中央に長方形状の窓１１ａを有しかつ板状の発泡体により形成された四角枠状のボード用枠体１１ｂと、窓１１ａを塞ぐ透明フィルム１１ｃとを有する。ボード用枠体１１ｂを構成する板状の発泡体は、上記連結保持具１２を構成する板状体１３と同一の材料により形成されることが好ましい。また、ボード用枠体１１ｂを作製するための板状の発泡体の厚さは、３ｍｍ〜７ｍｍ程度であることが好ましい。上記透明フィルム１１ｃは、間仕切りボード１１の一方の面全体に貼付される。また、透明フィルム１１ｃは、厚さ０．０２ｍｍ〜０．５ｍｍ程度のポリエチレンテレフタレート、ポリプロピレン、ポリエチレン、ポリエチレンナフタレート、ポリ塩化ビニル、ポリ塩化ビニリデン、ポリスチレン、アクリル、ポリカーボネート等のプラスチック製フィルムにより形成されることが好ましい。
【００１７】
各間仕切りボード１１の両側縁下部にはそれぞれ下方に開口する一対のボード用スリット１１ｄ，１１ｄが形成される（図５）。これにより互いに隣接する２枚の間仕切りボード１１，１１の両側縁下部に形成された一対のボード用スリット１１ｄ，１１ｄのうち、２枚の間仕切りボード１１，１１の密着面に近いボード用スリット１１ｄ，１１ｄが、井桁状の組立体１４の上方に開口する２本の保持具用スリット１３ａ，１３ａにそれぞれ係合するようになっている（図２及び図５）。即ち、互いに隣接する２枚の間仕切りボード１１，１１の２本のボード用スリット１１ｄ，１１ｄを、井桁状の組立体１４の上方に開口する２本の保持具用スリット１３ａ，１３ａにそれぞれ係合することにより、連結保持具１２が互いに隣接する２枚の間仕切りボード１１，１１を連結して保持するように構成される。なお、ボード用スリット１１ｄの長さは、板状体１３の保持具用スリット１３ａの長さより短く形成される。具体的には、ボード用スリット１１ｄの長さは、連結保持具１２を構成する板状体１３の高さから保持具用スリット１３ａの長さを差し引いた値に等しくなるように形成されることが好ましい。また、ボード用スリット１１ｄの幅は連結保持具１２を構成する板状体１３の厚さより僅かに広く形成される。
【００１８】
このように構成された連結保持具１２で間仕切りボード１１を連結して起立した状態で保持する方法を説明する。先ず、互いに隣接する２枚の間仕切りボード１１，１１のうち連結する側の２本のボード用スリット１１ｄ，１１ｄを、井桁状の組立体１４の上方に開口する２本の保持具用スリット１３ａ，１３ａにそれぞれ係合する（図１〜図５）。これにより、上記２枚の間仕切りボード１１，１１が井桁状の組立体１４で連結されて保持される。次に、連結された２枚の間仕切りボード１１，１１のうち連結する側とは反対側の２本のボード用スリット１１ｄ，１１ｄを２枚の板状体１３，１３の保持具側スリットにそれぞれ係合する（図５）。これにより、井桁状の組立体１４により構成された連結保持具１２は、互いに隣接する２枚の間仕切りボード１１，１１を一列に延ばして起立した状態で連結部分を保持でき、２枚の板状体１３，１３は、連結保持具１２で連結された上記２枚の間仕切りボード１１，１１の両端をそれぞれ保持できる。このように、比較的簡単に間仕切りボード１１，１１を連結保持具１２で連結することができる。また、連結保持具１２を構成する井桁状の組立体１４の保持具用スリット１３，１３ａから間仕切りボード１１，１１のボード用スリット１１ｄ，１１ｄを離脱させることにより、連結された２枚の間仕切りボード１１，１１を比較的簡単に分離することができる。
【００１９】
また、隣り合う２枚の間仕切りボード１１，１１の各側端縁が連結保持具１２により連結されて保持された状態で互いに接する、即ち密着するので、連結保持具１２で連結された複数の間仕切りボード１１，１１を置いたテーブルへの着席者が感染者である場合、或いはテーブルの向こう側にいる人が感染者である場合に、その感染者の咳やくしゃみ等による飛沫が前方に飛散することや着席者に到来することを防止できる。更に、板状体１３及び間仕切りボード１１が発泡体であるので、連結保持具１２で連結された間仕切りボード１１，１１がテーブルから誤って落下しても、間仕切りボード１１，１１や連結保持具１２が軽量であるため、間仕切りボード１１，１１や連結保持具１２が損傷し難く、また近くにいた人が間仕切りボード１１，１１や連結保持具１２で怪我をすることがない。
【００２０】
なお、上記実施の形態では、板状体として発泡体を挙げたが、板状体の両方の面の全体にシート状表面材を接着してもよい。この場合、シート状表面材としては、価格が安価であり、生産性、接着性の点から紙材が好ましい。紙材としては、更紙、アート紙、コート紙、化学繊維紙、合成紙、樹脂含浸紙の他に片面又は両面にポリエチレン等がラミネート加工されている合成樹脂加工紙等が挙げられる。シート状表面材の厚さは０．１ｍｍ〜０．３ｍｍ程度であることが好ましい。これにより、板状体の見栄え及び強度を向上できるとともに、板状体の反りを防止できる。また、上記実施の形態では、板状体として四角形の発泡体、即ち四角形の板状発泡体を挙げたが、板状体として、ポリ塩化ビニル板、アクリル板、プラスチック段ボール等の不透明のプラスチック製板を四角形に形成してもよい。
【符号の説明】
【００２１】
１１  間仕切りボード
１１ｄ  ボード用スリット
１２  連結保持具
１３  板状体
１３ａ  保持具用スリット
１４  井桁状の組立体
【図１】
0003229061.tif 000003
【図２】
0003229061.tif 000004
【図３】
0003229061.tif 000005
【図４】
0003229061.tif 000006
【図５】
0003229061.tif 000007